(57)【要約】【課題】所定の再生規格が扱う領域以外に保存された情報を、該再生規格に基づいて再生する。【解決手段】  ＰＣからコピーするなどして非DCF規格の場所へ画像データを保存した場合など、DCF規格では再生できない位置に配されたコンテンツファイルを、DCF規格に従ったDCIMフォルダ以下のフォルダに移動することにより、DCF規格に基づいてコンテンツを再生できるようにする。【選択図】  図１
2006050000.tif 000002
【特許請求の範囲】
【請求項１】
自己に適用された所定の規格に基づいて格納されたファイルを再生する情報再生装置において、
前記格納されているファイルの中から、自己に適用された所定の規格に基づかない位置に格納されているファイルを検索する規格外位置ファイル検索手段と、
前記検索された規格外位置ファイルを、自己に適用された所定の規格に基づく所定の位置へ移動させるファイル移動手段と
を備えたことを特徴とする情報再生装置。
【請求項２】
前記ファイル移動手段は、前記規格外位置ファイル検索手段によって検索された規格外位置ファイルを格納する移動先フォルダを、自己に適用された所定の規格に基づく所定の位置に生成する移動先フォルダ生成手段を含む
ことを特徴とする請求項１に記載の情報再生装置。
【請求項３】
前記規格外位置ファイルの位置情報として、当該規格外位置ファイルのファイルパス情報が格納された制御リストファイルをさらに有し、
前記規格外位置ファイル検索手段は、前記制御リストファイルを使用して検索を行う
ことを特徴とする請求項１または２に記載の情報再生装置。
【請求項４】
前記ファイル移動手段は、さらに、前記規格外位置ファイル検索手段によって検索された規格外位置ファイルを指定する指定手段を含み、当該指定された規格外位置ファイルを所定の移動先フォルダに移動させる
ことを特徴とする請求項２または３に記載の情報再生装置。
【請求項５】
前記規格外位置ファイルが前記ファイルパス情報に基づいて移動された場合、当該ファイルパス情報を前記制御リストファイルから削除するファイルパス情報削除手段をさらに有している
ことを特徴とする請求項３に記載の情報再生装置。
【請求項６】
前記ファイルパス情報削除手段は、前記制御リストファイル内の全ファイルパス情報が削除された場合に、当該制御リストファイルを削除する
ことを特徴とする請求項５に記載の情報再生装置。
【請求項７】
前記規格外位置ファイルを格納していた移動先フォルダが空になった場合に、当該移動先フォルダを削除する移動先フォルダ削除手段をさらに有している
ことを特徴とする請求項２、３、４、５または６に記載の情報再生装置。
【発明の詳細な説明】
【技術分野】
【０００１】
本発明は、所定再生規格に基づいて情報を再生する情報再生装置に関する。
【背景技術】
【０００２】
従来より、デジタルスチルカメラ（ＤＳＣ）では、異なるＤＳＣ間でも撮影画像を互いに再生できるように、DCF規格としてファイルの保存場所、ファイル名などを規定している。DVDにおいても、動画ファイルや音声ファイルの保存場所を、DVD-video、DVD-Audio規格として規定している。
【０００３】
また、制御リストを用い、制御リスト内にファイルの所在を示すことがなされている。この制御リストによる画像再生が可能な装置では、制御リスト内に記述されたファイルの所在を利用することで、高速かつ簡便に撮影画像を扱うことが行われている。
【０００４】
特開平１１−２３２４４０号公報に見られるように、画像の制御リストの作成・更新は、
（１）画像再生中にユーザが指示して制御リストに追加する
（２）撮影時に自動的に制御リストに追加する
というような方法が採られている。
【０００５】
例えばユーザがＤＳＣ上で撮影した以外の画像を見たいという理由で、DCF規格に従った保存場所ヘ画像がコピーされたならば、ＤＳＣ上で通常に再生ができ、また再生中にユーザの指示により制御リストヘの登録も可能となる。
【特許文献１】特開平１１−２３２４４０号公報
【発明の開示】
【発明が解決しようとする課題】
【０００６】
しかしながら、ユーザがDCF規格とは関係ない保存場所ヘコピーするということは十分に考えられ、その場合では、DCF規格とは無関係なので通常の再生はできず、そのためにその画像は制御リストヘの登録もできなくなる。そのため、制御リストによる画像再生が可能な装置であっても、
（１）DCF規格に従った画像再生、
（２）制御リストに従った画像再生、
どちらも行うことができず、ユーザは一部の画像をＤＳＣ上で見ることができないという問題がある。
【０００７】
本発明は、上記事情に鑑みてなされたものであり、所定の再生規格が扱う領域以外に保存された情報を、該再生規格に基づいて再生することのできる情報再生装置を提供することを目的としている。
【課題を解決するための手段】
【０００８】
本発明の情報再生装置は、
自己に適用された所定の規格に基づいて格納されたファイルを再生する情報再生装置において、
前記格納されているファイルの中から、自己に適用された所定の規格に基づかない位置に格納されているファイルを検索する規格外位置ファイル検索手段と、
前記検索された規格外位置ファイルを、自己に適用された所定の規格に基づく所定の位置へ移動させるファイル移動手段と
を備えて構成される。
【発明の効果】
【０００９】
本発明によれば、所定の再生規格が扱う領域以外に保存された情報を、該再生規格に基づいて再生することができるという効果がある。
【発明を実施するための最良の形態】
【００１０】
以下、図面を参照しながら本発明の実施例について述べる。
【実施例１】
【００１１】
図１ないし図９は本発明の実施例１に係わり、図１はＤＳＣの背面構成を示す外観図、図２は図１のＤＳＣの構成を示すブロック図、図３は図１のＤＳＣでの画像・音声・動画等のコンテンツからなるフォルダ構成を示す図、図４は図１のＣＰＵ２１による再生処理の流れを示す第１のフローチャート、図５は図１のＣＰＵ２１による再生処理の流れを示す第２のフローチャート、図６は図４及び図５の処理で展開されるファイル移動指示画像を示す図、図７は図４及び図５の処理で展開される移動先フォルダ生成指示画像を示す図、図８は図４及び図５の処理で再構築されたフォルダ構成を示す第１の図、図９は図４及び図５の処理で再構築されたフォルダ構成を示す第２の図である。
【００１２】
図１に示すように、本実施例のデジタルスチルカメラ（以下、ＤＳＣ）２の背面には、被写体を撮影した画像を表示したり各種設定画面を表示する液晶表示部４と、被写体像を確認するファインダ５と、ＤＳＣ２の電源オン状態を示すパワーＬＥＤ６と、液晶表示部４に表示される各種設定画面上での操作データを入力する選択／決定アイコン９等とが設けられ、ＤＳＣ２の上部には、画像の撮像を指示するシャッタ１０と、ＤＳＣ２における撮影モード及び操作モード等のモードを選択するモード選択ダイヤル１１等が設けられている。
【００１３】
図２に示すように、ＤＳＣ２は、撮像装置２０と、圧縮伸長エンジン１９，ＣＰＵ２１，ＲＯＭ２２，ＲＡＭ２３，画像記録部２４，ファイル管理部２５，外部Ｉ／Ｆ２６を備え、ＲＯＭ２２に格納されている制御プログラムに従いＲＡＭ２３を用いてＣＰＵ２１が各種制御を行うようになっている。
【００１４】
撮影時には、圧縮伸長エンジン１９は、ＣＰＵ２１からの指示によりＲＡＭ２３内の撮像データをＣＰＵ２１が指定するフォーマットの画像へと圧縮する。圧縮された画像は、ＣＰＵ２１からの指示によりファイル管理部２５を通して画像記録部２４に記録される。
【００１５】
再生時には、圧縮伸長エンジン１９は、ＣＰＵ２１からの指示により画像記録部２４内の画像を、記録されているフォーマットに従い伸長する。伸長された画像データは、液晶表示部４に再生される。
【００１６】
画像記録部２４は、スマートメディアを始めとする半導体メモリ、あるいは磁気メモリ、ハードディスクなどの磁気ディスク、ＣＤ、ＤＶＤなどの光ディスク、ＭＯなどの光磁気ディスク、上記の組み合わせ、などであってもよい。あるいは、画像記録部２４は単数である必要は無く、複数の記録媒体からなっていても構わない。
【００１７】
画像記録部２４に格納された複数の画像データは液晶表示部４に縮小されて表示ができ、選択／決定アイコン９を用いて所望の画像データを図示しないＰＣ（パーソナルコンピュータ）等からコピーしたり、ＰＣに保存させることができるようになっている。
【００１８】
図３は、ＤＳＣ２の画像記録部２４に格納された、画像・音声・動画等のコンテンツファイル等からなるフォルダ構成の例である。撮影されたコンテンツはDCIMフォルダ以下にDCF規格に従って格納されている。一方、ＰＣからコピーされたコンテンツはDCF規格とは無関係に存在し得て、図３では例えば××旅行という名のフォルダ内やrootの直下に入っている。
【００１９】
本実施例では、ＰＣからコピーするなどして非DCF規格の場所へ画像データを保存した場合など、DCF規格では再生できない位置に配されたコンテンツファイルを、DCF規格に従ったDCIMフォルダ以下のフォルダに移動することにより、DCF規格に基づいてコンテンツを再生できるようにする。
【００２０】
詳細には、図４に示すように、ＣＰＵ２１は、まずステップＳ１にて画像記録部２４のファイルを検索し、ステップＳ２にてDCF規格では再生できない位置にファイルが存在するかどうかを判断する。そして、ステップＳ３にてDCF規格では再生できない位置にファイルが見つかると、そのファイル形式が再生可能なファイル形式かどうか判断し、ステップＳ４にて再生可能なファイル形式のファイルのファイルパスを取得する。そして、ステップＳ５によりステップＳ１〜Ｓ４の処理を画像記録部２４の全てのファイルの検索が終了するまで繰り返す。
【００２１】
画像記録部２４の全てのファイルの検索が終了すると、図５のステップＳ６に処理が移行され、ステップＳ６にてDCF規格では再生できない位置にあって再生可能なファイル形式のファイルのファイルパスが取得されたかどうか判断し、該ファイルパスが取得されている場合は、ステップＳ７にて図６に示すようなファイル移動指示画像が液晶表示部４に表示される。
【００２２】
このファイル移動指示画像には、再生できない位置に再生可能なファイル形式のファイルが存在することをユーザに告知すると共に、DCF規格で再生可能なDCIMフォルダ以下のフォルダにファイルを移動するかどうかの判断をユーザに促すメッセージ３０と、ファイル移動を要求する「はい」アイコン３１及びファイル移動を拒絶する「いいえ」アイコン３２とが設けられている。
【００２３】
ステップＳ８にてファイル移動指示画像において、「はい」アイコン３１が選択されファイル移動の指示があると、ステップＳ９にて図７に示すような移動先フォルダ生成指示画像が液晶表示部４に表示される。
【００２４】
この移動先フォルダ生成指示画像には、DCF規格で再生可能なDCIMフォルダ以下に移動先フォルダを新規に生成するかどうかの判断をユーザに促すメッセージ４０と、移動先フォルダの新規生成を要求する「はい」アイコン４１及び移動先フォルダの新規生成を拒絶する「いいえ」アイコン４２とが設けられている。
【００２５】
ステップＳ１０にて移動先フォルダ生成指示画像において、「いいえ」アイコン４２が選択され移動先フォルダの新規生成が拒絶されると、ステップＳ１１にてDCF規格で再生可能なDCIMフォルダ以下の所定の移動先フォルダ内にファイルパスが取得されているファイルと同じファイル名が存在するかどうか判断し、同一ファイル名が存在する場合は、ステップＳ１２にてファイルパスが取得されているファイルのファイル名を異なる名前にリネームして、ステップＳ１３に進む。同一ファイル名が存在しない場合は、ステップＳ１１よりステップＳ１３に進む。
【００２６】
なお、本実施例では、ステップＳ１１におけるDCIMフォルダ以下の所定の移動先フォルダを、例えば図３における「\100OLYMP」とする。
【００２７】
ステップＳ１０にて移動先フォルダ生成指示画像において、「はい」アイコン４１が選択され移動先フォルダの新規生成が指示されると、ステップＳ１４にて新規に移動先フォルダをDCIMフォルダ以下に生成しステップＳ１３に進む。
【００２８】
なお、本実施例では、ステップＳ１４における新規の移動先フォルダを図３において存在しない例えば「\102OLYMP」とする。
【００２９】
そして、ステップＳ１３にてファイルパスが取得されているファイルを移動先フォルダに移動し、ステップＳ１５にて空のフォルダがあるかどうか判断する。
【００３０】
本実施例では、図３における「××旅行」フォルダ内のファイルが全て移動先フォルダに移動されるので、「××旅行」フォルダが空のフォルダとなる。
【００３１】
そして、空のフォルダが見つかると、ステップＳ１６にて空のフォルダを削除し、ステップＳ１７にて所定再生規格であるDCF規格でDCIMフォルダ以下のファイルの再生を実行し、ステップＳ１８にて再生終了指示がなされるまで、ファイル再生を繰り返す。
【００３２】
上記の処理にて、所定移動先フォルダである「\100OLYMP」にDCF規格では再生できない位置のファイルを移動する場合は、図３のフォルダ構造は図８に示すようなフォルダ構造となる。すなわち、図８に示すように、「\100OLYMP」に「××旅行」内のファイル及びrootの直下のファイルが移動され、「××旅行」フォルダは削除される。
【００３３】
また、上記の処理にて、新規の移動先フォルダである「\102OLYMP」を生成し、この「\102OLYMP」にDCF規格では再生できない位置のファイルを移動する場合は、図３のフォルダ構造は図９に示すようなフォルダ構造となる。すなわち、図９に示すように、DCIMフォルダ以下に「\102OLYMP」が新規の移動先フォルダとして生成され、この「\102OLYMP」に「××旅行」内のファイル及びrootの直下のファイルが移動され、「××旅行」フォルダは削除される。
【００３４】
このように本実施例では、再生可能なファイル形式のファイルがDCIMフォルダ以外の位置に配置されたとしても、該ファイルをDCIMフォルダ以下の移動先フォルダに移動させるので、所定再生規格であるDCF規格で所望のファイルを簡単かつ確実に再生することができる。
【００３５】
また移動先フォルダを所定のDCIMフォルダ以下のフォルダあるいはDCIMフォルダ以下に新規に作成したフォルダのいずれかとすることができるので、例えば新規に移動先フォルダを作成した場合には、 ＤＳＣ２で撮影した画像ファイルと、それ以外の再生可能なファイル形式のファイルを分類して管理することが可能となる。
【実施例２】
【００３６】
図１０ないし図２３は本発明の実施例２に係わり、図１０は制御リストを含むフォルダ構成を示す図、図１１は図１０の制御リストの構成を示す図、図１２は図１０のフォルダ構成のファイルの再生処理の流れを示すフローチャート、図１３は図１２の処理を説明する第１の図、図１４は図１２の処理を説明する第２の図、図１５は図１２の処理を説明する第３の図、図１６は図１２の処理を説明する第４の図、図１７は図１２の処理を説明する第５の図、図１８は図１２のリストファイル再生移動処理の流れを示すフローチャート、図１９は図１８の処理を説明する第１の図、図２０は図１８の処理を説明する第２の図、図２１は図１８の処理で再構築されたフォルダ構成を示す第１の図、図２２は図１８の処理で再構築されたフォルダ構成を示す第２の図、図２３は図２１または図２２の制御リストの構成を示す図である。
【００３７】
実施例２は、実施例１とほとんど同じであるので、異なる点のみ説明する。
【００３８】
図１０は、本実施例の画像記録部２４に格納された、画像・音声・動画等のコンテンツファイル等からなるフォルダ構成の例を示し、例えばＰＣからコピーするなどして非DCF規格の場所へ画像データを保存した場合などの、DCF規格では再生できない位置に配されたファイルを、制御リストに基づいて再生可能としたフォルダ構成となっている。
【００３９】
制御リストは、DCF規格では再生できない位置に配されたファイルのファイルパスが記載されており、図１０のファイル構造の場合、制御リストには、図１１に示すように、例えば「××旅行」内のファイル及びrootの直下のファイルのファイルパスが記載が記載されている。
【００４０】
すなわち、DCIMフォルダ以下のファイルはDCF規格に基づいて再生可能であって、DCF規格では再生できない位置に配されたファイルは制御リストに基づいて再生できるようになっている。
【００４１】
しかし、DCF規格でのファイル再生のみで、制御リストに基づくファイルの再生ができないＤＳＣも存在するため、本実施例では、制御リストに基づく再生ができない機種等に対応可能で、汎用的に所望のファイルの再生が可能となるように、制御リストに基づいて再生可能なファイルをDCF規格で再生可能な位置に移動させる。
【００４２】
詳細には、図１２に示すように、本実施例では、ＣＰＵ２１は、ステップＳ２１にて再生開始と共に再生モードを通常再生モードに設定する。
【００４３】
なお、通常再生モードとは、DCF規格に基づくDCIMフォルダ内のファイルの再生を行う再生モードである。
【００４４】
そして、ステップＳ２２にて、図１３に示すように液晶表示部４にDCIMフォルダ内の先頭画像を表示し、ステップＳ２３にて液晶表示部４に、図１４に示すような通常再生モード及びリスト再生モードを選択するモード選択アイコン５１、５２を重畳表示させる。ここで、通常再生モードが設定されているので、モード選択アイコン５１が所望の色（図では斜線ハッチング）表示される。
【００４５】
なお、リスト再生モードとは、後述するように、非DCF規格の位置にあるファイルを制御リストalbum.lst内のファイルパスに基づきファイルを再生すると共に、DCIMフォルダ以下の移動先フォルダにファイルを移動する再生モードである。
【００４６】
次に、ステップＳ２４にて選択／決定アイコン９の操作によりモード選択アイコン５１、５２が選択されたかどうか判断し、選択されると、ステップＳ２５にて選択されたモード選択アイコンの色表示に変更され、ステップＳ２６にて選択／決定アイコン９の操作によりモード決定がなされるまで、ステップＳ２４〜Ｓ２６を繰り返す。図１５は再生モードとしてリスト再生モードが再生され際のモード選択アイコン５１、５２の表示形態を示している。
【００４７】
そして、ステップＳ２７にて、決定された再生モードがリスト再生モードかどうか判断し、再生モードがリスト再生モードならばステップＳ２８にて制御リストalbum.lstの先頭画像を液晶表示部４に表示し、ステップＳ２９にて再生している画像上に再生モード情報アイコンを表示し、ステップＳ１００ａにて後述するリストファイル再生移動処理を実行してステップＳ３２に進み、再生モードが通常再生モードならばステップＳ３０に進む。
【００４８】
ステップＳ３０ではDCIMフォルダ内の先頭画像を液晶表示部４に表示し、ステップＳ３１にてステップＳ２９と同様に再生している画像上に再生モード情報アイコンを表示する。図１６では通常再生モードの際の再生モード情報アイコン５３を示している。なお、ステップＳ２９においても図１７に示すように、リスト再生モードの際の再生モード情報アイコン５４が表示される。
【００４９】
そして、ステップＳ３２にて表示画像の更新指示があるかどうかを判断し、更新指示があるとステップＳ３３にて表示画像を更新し、ステップＳ３４にて再生モードがリスト再生モードかどうか判断し、再生モードがリスト再生モードならばステップＳ１００ｂにて後述するリストファイル再生移動処理を実行してステップＳ３５に進み、再生モードが通常再生モードならばそのままステップＳ３５に進む。
【００５０】
そして、ステップＳ３５にて再生モードの変更指示があるかどうか判断し、さらにステップＳ３６にて画像再生終了指示がなされるまで、ステップＳ３２〜Ｓ３５を繰り返す。なお、ステップＳ３５にて再生モードの変更指示があると、ステップＳ２３に戻り、ステップＳ３２にて表示画像の更新指示がない場合にはステップＳ３２からステップＳ３５に処理が移行される。
【００５１】
ここで、ステップＳ１００ａ及びＳ１００ｂのリストファイル再生移動処理について説明する。
【００５２】
図１８に示すように、ステップＳ１０１にて図６のファイル移動指示画像が液晶表示部４に表示され、ステップＳ１０２にてファイル移動指示画像において、「はい」アイコン３１が選択されファイル移動の指示があると、ステップＳ１０３にて図７の移動先フォルダ生成指示画像が液晶表示部４に表示される。
【００５３】
そして、ステップＳ１０４にて移動先フォルダ生成指示画像において、「いいえ」アイコン４２が選択され移動先フォルダの新規生成が拒絶されると、ステップＳ１０５に進み、ステップＳ１０４にて移動先フォルダ生成指示画像において、「はい」アイコン４１が選択され移動先フォルダの新規生成が指示されると、ステップＳ１０６にて新規に移動先フォルダをDCIMフォルダ以下に生成しステップＳ１０５に進む。
【００５４】
また、ステップＳ１０２にてファイル移動指示画像において、「いいえ」アイコン３２が選択されファイル移動の拒絶指示があると、ステップＳ１０７にてファイルのプリント予約指示があるかどうか判断し、ある場合にはステップＳ１０５に進み、ない場合には処理を終了する。
【００５５】
そして、ステップＳ１０５では、図１９に示すようなファイル移動モード指定画像が液晶表示部４に表示される。
【００５６】
ここで、ファイル移動モード指定画像には、制御リストalbum.lstに記載されているファイルパスのファイルをDCIMフォルダ以下の移動先フォルダにファイルを移動する際に選択するための、制御リストalbum.lst内の全てのファイルの移動を指定する全指定移動モードアイコン８０と、制御リストalbum.lst内の複数のファイルを選択してファイルの移動を指定する複数指定移動モードアイコン８１と、制御リストalbum.lst内の現在再生中のファイルの移動を指定する単数指定移動モードアイコン８２とが設けられている。
【００５７】
なお、複数指定移動モードアイコン８１を選択すると、例えば図２０に示すように、制御リストalbum.lst内の全てのファイルのインデックスが液晶表示部４に表示され、このインデックスを指定することで複数のファイルを選択することが可能となっている。
【００５８】
以下、全指定移動モードアイコン８０、複数指定移動モードアイコン８１、単数指定移動モードアイコン８２の順で各アイコンが選択された際の処理について説明する。
【００５９】
（１）全指定移動モードアイコン８０が選択されると、ステップＳ１０８からステップＳ１０９に処理が移行し、ステップＳ１０９にて制御リストalbum.lst内の全ファイルのファイルパスを取得し、ステップＳ１１０にて取得したファイルパスに従い移動先フォルダに制御リストalbum.lst内の全ファイルを移動し、ステップＳ１１１にて制御リストalbum.lstを削除してステップＳ１１２に進む。
【００６０】
（２）複数指定移動モードアイコン８１が選択されると、ステップＳ１０８及びステップＳ１１３を経てステップＳ１１４に処理が移行し、ステップＳ１１４にて制御リストalbum.lst内の移動させるファイルを指定し、指定したファイルのファイルパスを取得し、ステップＳ１１５にて取得したファイルパスに従い移動先フォルダに制御リストalbum.lst内の指定したファイルを移動し、ステップＳ１１６にて制御リストalbum.lstより移動したファイルのファイルパスを削除してステップＳ１１２に進む。
【００６１】
（３）単数指定移動モードアイコン８１が選択されると、ステップＳ１０８及びステップＳ１１３を経てステップＳ１１７に処理が移行し、ステップＳ１１７にて再生中のファイルを移動先フォルダに移動し、ステップＳ１１６にて制御リストalbum.lstより移動したファイルのファイルパスを削除してステップＳ１１２に進む。
【００６２】
上記（１）ないし（３）処理がなされると、ステップＳ１１２にて空のフォルダがあるかどうか判断し、空のフォルダが見つかると、ステップＳ１１８にて空のフォルダを削除し、処理を終了する。
【００６３】
所定移動先フォルダである「\100OLYMP」に制御リストalbum.lstに記載されている全ファイルパスのファイルを移動した場合のフォルダ構造は実施例１で説明した図８のようになり、また、新規に生成した移動先フォルダである「\102OLYMP」に制御リストalbum.lstに記載されている全ファイルパスのファイルを移動した場合のフォルダ構造は実施例１で説明した図９のようになる。
【００６４】
ここで、図８及び図９の場合、制御リストalbum.lstに記載されている全ファイルパスのファイルを移動先フォルダに移動したため、制御リストalbum.lstが削除され、また、空となった「××旅行」フォルダも削除されている。
【００６５】
図２１は所定移動先フォルダである「\100OLYMP」に制御リストalbum.lstに記載されているファイルパスのファイルのうち「××旅行」フォルダ内のファイルを複数指定移動モードで指定して移動した場合のフォルダ構造を示し、図２２は新規に生成した移動先フォルダである「\102OLYMP」に制御リストalbum.lstに記載されているファイルパスのファイルのうち「××旅行」フォルダ内のファイルを複数指定移動モードで指定して移動した場合のフォルダ構造を示している。
【００６６】
ここで、図２１及び図２２の場合、制御リストalbum.lstに記載されているファイルパスのファイルうち「××旅行」フォルダ内のファイルを移動先フォルダに移動したため、図２３に示すように制御リストalbum.lstにはrootの直下のファイルのファイルパスが残っているため、制御リストalbum.lst削除されず、また、空となった「××旅行」フォルダは削除されている。
【００６７】
なお、図示はしないが、単数指定の場合や、「××旅行」フォルダ内の一部のファイルのみを複数指定した場合は、制御リストalbum.lstにファイルパスが残ると共に、「××旅行」フォルダは空のフォルダとならないため、制御リストalbum.lst及び「××旅行」フォルダは削除されない。
【００６８】
このように本実施例では、実施例１の効果に加え、DCIMフォルダ以外の位置に配置された再生可能なファイル形式のファイルが制御リストにより管理されている場合、該ファイルの検出を制御リストのファイルパスを読み出すことで、容易に行うことが可能となる。
【００６９】
また、DCIMフォルダ以下の移動先フォルダに移動するファイルを選択できるので、所定再生規格であるDCF規格で再生するファイルと、制御リストで再生するファイルを分類して管理することが可能となる。
【００７０】
本発明は、上述した実施例に限定されるものではなく、本発明の要旨を変えない範囲において、種々の変更、改変等が可能である。
【図面の簡単な説明】
【００７１】
【図１】本発明の実施例１に係るＤＳＣの背面構成を示す外観図
【図２】図１のＤＳＣの構成を示すブロック図
【図３】図１のＤＳＣでの画像・音声・動画等のコンテンツからなるフォルダ構成を示す図
【図４】図１のＣＰＵ２１による再生処理の流れを示す第１のフローチャート
【図５】図１のＣＰＵ２１による再生処理の流れを示す第２のフローチャート
【図６】図４及び図５の処理で展開されるファイル移動指示画像を示す図
【図７】図４及び図５の処理で展開される移動先フォルダ生成指示画像を示す図
【図８】図４及び図５の処理で再構築されたフォルダ構成を示す第１の図
【図９】図４及び図５の処理で再構築されたフォルダ構成を示す第２の図
【図１０】本発明の実施例２に係る制御リストを含むフォルダ構成を示す図
【図１１】図１０の制御リストの構成を示す図
【図１２】図１０のフォルダ構成のファイルの再生処理の流れを示すフローチャート
【図１３】図１２の処理を説明する第１の図
【図１４】図１２の処理を説明する第２の図
【図１５】図１２の処理を説明する第３の図
【図１６】図１２の処理を説明する第４の図
【図１７】図１２の処理を説明する第５の図
【図１８】図１２のリストファイル再生移動処理の流れを示すフローチャート
【図１９】図１８の処理を説明する第１の図
【図２０】図１８の処理を説明する第２の図
【図２１】図１８の処理で再構築されたフォルダ構成を示す第１の図
【図２２】図１８の処理で再構築されたフォルダ構成を示す第２の図
【図２３】図２１または図２２の制御リストの構成を示す図
【符号の説明】
【００７２】
２…ＤＳＣ
４…液晶表示部
５…ファインダ
６…パワーＬＥＤ
９…選択／決定アイコン
１０…シャッタ
１１…モード選択ダイヤル
１９…圧縮伸長エンジン
２０…撮像装置
２１…ＣＰＵ
２２…ＲＯＭ
２３…ＲＡＭ
２４…画像記憶部
２５…ファイル管理部
２６…外部Ｉ／Ｆ
代理人    弁理士    伊藤  進
【図１】
2006050000.tif 000003
【図２】
2006050000.tif 000004
【図３】
2006050000.tif 000005
【図４】
2006050000.tif 000006
【図５】
2006050000.tif 000007
【図６】
2006050000.tif 000008
【図７】
2006050000.tif 000009
【図８】
2006050000.tif 000010
【図９】
2006050000.tif 000011
【図１０】
2006050000.tif 000012
【図１１】
2006050000.tif 000013
【図１２】
2006050000.tif 000014
【図１３】
2006050000.tif 000015
【図１４】
2006050000.tif 000016
【図１５】
2006050000.tif 000017
【図１６】
2006050000.tif 000018
【図１７】
2006050000.tif 000019
【図１８】
2006050000.tif 000020
【図１９】
2006050000.tif 000021
【図２０】
2006050000.tif 000022
【図２１】
2006050000.tif 000023
【図２２】
2006050000.tif 000024
【図２３】
2006050000.tif 000025